(57)【要約】【課題】  従来における計量器にあって、計量器における計量皿本体に対して郵便物を中心に載置しようとすると前後方向にはみ出てしまい、表示器の表示面を見ることができないといった問題があった。【解決手段】  上方から表示器２の表示面を見て郵便物等の被計量物の重さを確認するように構成された計量器１において、計量皿本体３に前後または左右に間隔を介して起立可能な起立板４１，４２を取付けた計量器である。【選択図】        図１
2006029843.tif 000002
【特許請求の範囲】
【請求項１】
上方から表示器の表示面を見て郵便物等の被計量物の重さを確認するように構成された計量器において、計量皿本体に前後または左右に間隔を介して起立可能な起立板を取付けたことを特徴とする計量器。
【請求項２】
上方から表示器の表示面を見て郵便物等の被計量物の重さを確認するように構成された計量器において、前記表示器を計量器本体から引き出し可能に取付けたことを特徴とする計量器。
【請求項３】
上方から表示器の表示面を見て郵便物等の被計量物の重さを確認するように構成された計量器において、計量皿本体に少なくとも１本のアームを後方に向かって突出可能に取付けたことを特徴とする計量器。
【請求項４】
上方から表示器の表示面を見て郵便物等の被計量物の重さを確認するように構成された計量器において、計量皿本体の一部を分離して後方に向かって突出可能に取付けたことを特徴とする計量器。
【発明の詳細な説明】
【技術分野】
【０００１】
本発明は、上方から表示器の表示面を見て被計量物の重さを確認するように構成した計量器であって、特に、郵便物等のように大きさが異なる被計量物を計量皿を乗せても表示器の表示面を上方から確認することができるようにした計量器の改良に関する。
【背景技術】
【０００２】
従来における郵便物等の被計量物の重さを計測する計量器としては、特開平４−２４４９２０号公報に開示されている発明がある。この計量器にあっては、表示器が計量器本体の前面に斜めの状態で取付けられ、被計量物を計量皿本体に乗せた状態で表示器の表示面を見るには斜め上方から見れるようになっている。
【０００３】
そして、このように構成された計量器にあっては、該計量器を卓上に載置した状態で被計量物を乗せた時に、表示面を見るのに屈み込む必要がなく計量作業が非常に楽に行えるといった利点を有していた。
【特許文献１】特開平４−２４４９２０号公報
【発明の開示】
【発明が解決しようとする課題】
【０００４】
ところで、前記した公知例にあって、計量皿本体の大きさが定型封書である郵便物を乗せて計量を行った時に表示面を上方から確認できるようなものであった場合に、図９に示すように定型外の郵便物Ａの場合には、計量器Ｂにおける計量皿本体Ｂ１に対して郵便物Ａを中心に載置しようとすると前後方向にはみ出てしまい、表示器Ｂ２の表示面を見ることができなくなってしまう。そこで、郵便物を後方に移動すると重量バランスが崩れ後方に傾いて計量が不可能になってしまうといった問題があった。
【０００５】
本発明は前記した問題点を解決せんとするもので、その目的とするところは、被計量物を表示器からの距離を離し、あるいは、表示器を計量器本体から引き出し、または、アームや計量皿本体の一部を後方に突出させることで、計量皿本体よりも大きな被計量物であっても、表示面の数値を確認することができる計量器を提供せんとするにある。
【課題を解決するための手段】
【０００６】
本発明の計量器は前記した目的を達成せんとするもので、請求項１の手段は、上方から表示器の表示面を見て郵便物等の被計量物の重さを確認するように構成された計量器において、計量皿本体に前後または左右に間隔を介して起立可能な起立板を取付けたものである。
【０００７】
請求項２の手段は、上方から表示器の表示面を見て郵便物等の被計量物の重さを確認するように構成された計量器において、前記表示器を計量器本体から引き出し可能に取付けたものである。
【０００８】
請求項３の手段は、上方から表示器の表示面を見て郵便物等の被計量物の重さを確認するように構成された計量器において、計量皿本体に少なくとも１本のアームを後方に向かって突出可能に取付けたものである。
【０００９】
請求項４の手段は、上方から表示器の表示面を見て郵便物等の被計量物の重さを確認するように構成された計量器において、計量皿本体の一部を分離して後方に向かって突出可能に取付けたものである。
【発明の効果】
【００１０】
本発明の計量器は前記したように、計量皿本体に前後または左右に間隔を介して起立可能な起立板を取付けたことにより、被計量物の重心位置は計量皿本体の中心となり誤差が発生しないと共に、被計量物と表示器との間に間隔が発生することにより、表示器の表示面を斜め上方から見て確認することができるものである。
【００１１】
また、表示器を計量器本体から引き出し可能に取付けたことにより、被計量物の重心位置が計量皿本体の中心位置となるように載置しても、表示器が被計量物より離れた位置にあることにより、表示器の表示面を被計量物に邪魔されることなく確認することができるものである。
【００１２】
さらに、計量皿本体に少なくとも１本のアームを後方に向かって突出することで、重量バランスは少しズレルが計量誤差が殆どない状態で表示器の表示面を上方から見て確認することができるものである。
【００１３】
また、計量皿本体の一部を分離して後方に向かって突出することで、重量バランスは少しズレルが計量誤差が殆どなく、かつ、安定した状態で被計量物を保持して表示器の表示面を上方から見て確認することができるという効果を有するものである。
【発明を実施するための最良の形態】
【００１４】
本発明は、上方から表示器の表示面を見て郵便物等の被計量物の重さを確認するように構成された計量器において、計量皿本体に前後または左右に間隔を介して起立可能な起立板を取付けたものである。
【実施例１】
【００１５】
以下、本発明に係る計量器の第１の実施例を図１〜図３と共に説明する。
１は電子的に被計量物の重量を計測する計量器本体にして、従来例で示したと同様に表示器２が前方斜めに突出した傾斜面に取付けられている。なお、２ａは計量を開始する時に操作するためのオン・オフ用押下式スイッチ、２ｂは風袋引きスイッチである。
【００１６】
３は計量皿本体にして、本発明においては、この計量皿本体３の上面に凹部３１を形成し、この凹部３１に２分割された起立板４１，４２の基端部４１ａ，４２ａを軸４３によって回転自在に軸支し、前記起立板４１，４２を前記軸４３を支点として互いが離開される方向に起立可能に形成したものである。なお、計量皿本体３に対して前記起立板４１，４２の側面は、前記軸支された部分を除いて計量皿本体３の側面と面一となっているので、起立板４１，４２を起立させる場合には、側面を指で持ち上げることで行える。
【００１７】
また、計量皿本体３の起立板４１，４２が軸支側は、斜めのカットされた傾斜面３２に形成されているので、起立板４１，４２を起立した時に該起立板４１，４２は９０度の角度を越えて起立するので、起立板４１，４２は閉じる方向に倒れ難くなり、従って、定形外の郵便封書を起立状態の起立板４１，４２の上に乗せても、起立板４１，４２が倒れるようなことはない。
【００１８】
このように構成した計量器にあっては、定形の郵便封書等のような小型被計量物の重量を計測する場合には、図１、図２に示す起立板４１，４２が計量皿本体３の凹部３１に収容された状態で前記被計量物を乗せても表示器２の表示面を見ることができる。
【００１９】
また、定形外の郵便封書等のような大型表示計量物の重量を計測する場合には、一対の起立板４１，４２を、該起立板４１，４２の側面を指で持ち上げて傾斜面３２に当接することで起立状態となる。すなわち、起立板４１，４２は９０度の角度を越えて起立するので、この起立板４１，４２の起立上縁に被計量物を乗せることで安定状態で支持される。
【００２０】
この状態において、表示器２の表示面は被計量物との間隔が大きくなることで、表示面を斜め上方から見ることができて重さの確認が容易に行え、かつ、被計量物の重量は計量皿本体３に対して平均的に荷重を加えることとなるので、計量に誤差が生じることはない。
【００２１】
なお、前記した実施例にあっては、起立片４１，４２の起立状態を、起立板４１，４２を傾斜面３２に当接させることで起立状態を保持した場合について説明したが、例えば、起立片４１，４２の回転近傍に凸部あるいは凹部を形成し、該凸部あるいは凹部に対向する計量皿本体３の内側面位置に、凹部あるいは凸部を形成し、凸部と凹部との係合によって起立状態を保持するようにしてもよい。
【実施例２】
【００２２】
次に、本発明に係る計量器の第２の実施例を図４と共に説明する。
この実施例では、従来の計量器における表示器２を、計量器本体１から分離できるようにしたものである。すなわち、表示器２と計量器本体１内に収容されている計測回路とを接続するリード線を計量器本体１の前面に対して引き出し、収納自在に形成されている角状のパイプ２１内に収容したものである。
【００２３】
このように構成した計量器にあっては、定形外の郵便封書等のような大型表示計量物の重量を計測する場合には、計量器本体１より表示器２を前方に引き出すことで、リード線はパイプ２１内に収容された状態で引き出される。この状態において、計量皿本体３から前方に被計量物が食みだしていても表示器２の表示面が被計量物によって遮られることがないので、重さを確認することができると共に、被計量物の重量は計量皿本体３に対して平均的に荷重を加えることとなるので、計量に誤差が生じることはない。
【実施例３】
【００２４】
次に、本発明に係る計量器の第３の実施例を図５〜図７と共に説明する。
この実施例では、計量皿本体３に後方に引き出し自在に２本のアーム５を取付けたものである。なお、アーム５の先端には郵便封書等の被計量物を計量皿本体３に対して後方に食み出した状態で乗せても、該郵便封書が傾かないようにするため計量皿本体３の水平面と同じ高さとなるように横桟５１が一体的に取付けられている。
【００２５】
このように構成した計量器にあっては、定形の郵便封書等のような小型被計量物の重量を計測する場合には、図５、図６の実線に示すようにアーム５を計量皿本体３内に収容した従来と同様な状態で前記被計量物を乗せて表示器２の表示面を見ることができる。
【００２６】
また、定形外の郵便封書等のような大型の被計量物の重量を計測する場合には、アーム５を計量皿本体３から後方に引き出し前記被計量物を図７の実線で示すように、後方に移動して横桟５１に乗せることで被計量物は安定状態で載置される。この状態において、表示器２の表示面は被計量物によって遮られることがなくなるので、表示面を上方から見ることができて重さの確認が行える。
【００２７】
なお、前記した第３の実施例では、２本のアーム５を計量皿本体３に対して引き出し可能に構成したものを示したが、計量皿本体３の中心部から後方に１本のアームを引き出し可能としてもよく、また、アームを計量皿本体３の側面に収容し、計量皿本体３の後部隅部で回動自在に形成し、アームを回動することで計量皿本体３の後方に移動できるようにしてもよい。
【実施例４】
【００２８】
次に、本発明に係る計量器の第４の実施例を図８と共に説明する。
前記した第３の実施例がアーム５を引き出したのに対し、本実施例では計量皿本体３の後方部を分離して補助板３４となし、この補助板３４をスライド自在に計量皿本体３に取付けたものである。
【００２９】
このように構成した計量器にあっては、定形の郵便封書等のような小型被計量物の重量を計測する場合には、補助板３４を計量皿本体３内に収容した従来と同様な状態で前記被計量物を乗せて表示器２の表示面を見ることができる。
【００３０】
また、定形外の郵便封書等のような大型の被計量物の重量を計測する場合には、補助板３４を計量皿本体３から後方に引き出し前記被計量物を後方に移動して乗せることで安定状態で載置される。この状態において、表示器２の表示面は被計量物によって遮られることがなくなるので、表示面を上方から見ることができて重さの確認が行える。
【００３１】
なお、前記した第４の実施例では、補助板３４を計量皿本体３から引き出し可能に構成したものを示したが、計量皿本体３の後端に補助板３４を回動自在に取付け、補助板３４を使用するときに後方に計量皿本体３と面一となるように折り返して使用するようにしてもよい。
【図面の簡単な説明】
【００３２】
【図１】本発明に係る計量器の第１の実施例を示す斜視図である。
【図２】同上の側面図である。
【図３】同上の一部拡大側面図である。
【図４】第２の実施例を示す斜視図である。
【図５】第３の実施例を示す斜視図である。
【図６】同上の側面図である。
【図７】使用状態を示す側面図である。
【図８】第４の実施例を示す斜視図である。
【図９】従来例の側面図である。
【符号の説明】
【００３３】
１          計量器本体
２          表示器
３          計量皿本体
４１，４２  起立板
５          アーム
【図１】
2006029843.tif 000003
【図２】
2006029843.tif 000004
【図３】
2006029843.tif 000005
【図４】
2006029843.tif 000006
【図５】
2006029843.tif 000007
【図６】
2006029843.tif 000008
【図７】
2006029843.tif 000009
【図８】
2006029843.tif 000010
【図９】
2006029843.tif 000011